(57)【特許請求の範囲】
【請求項１】
円錐コイルばね状の−極側端子部とこれに一体に連なるＵ字状の＋極側端子部を有する弾性線材からなる電池収納部用端子金具の取付構造であって、前記端子金具側には、前記Ｕ字状の＋極側端子部に一体に連なるように概略レ字状のフック部が延設され、前記電池収納部側には、前記−極側端子部と＋極側端子部との間の部分が挿入される中間溝部が設けられるとともに、前記フック部が挿入されかつ該フック部の先端が係止されるストッパーとなる切欠部付き＋極側溝部が設けられていることを特徴とする電池収納部用端子金具の取付構造。
【発明の詳細な説明】
【０００１】
【発明の属する技術分野】
本発明は、円錐コイルばね状の−極側端子部とこれに一体に連なるＵ字状の＋極側端子部を有する弾性線材からなる電池収納部用端子金具の取付構造に関する。
【０００２】
【従来の技術】
この種の電池収納部用端子金具の取付構造の従来例を図４に示す。図において、リモコンのケース１に設けられた電池収納部２は、２本の電池Ｂ，Ｂを＋極と−極とを逆にして横並びに収納すべく、仕切り壁３を隔てて左右に第１の電池装着部４Ａと第２の電池装着部４Ｂとが設けられている。
【０００３】
そして、この電池収納部２の前部壁面５に、円錐コイルばね状の−極側端子部１１とこれに一体に連なるＵ字状の＋極側端子部１２を有する断面円形の弾性線材からなる電池収納部用の＋極−極共通の端子金具１０が対接固定されている。
【０００４】
すなわち、前記前部壁面５から後方側へ前記端子金具１０の厚み（直径）分程度だけ離れて係止溝形成板部６，７が立設されており、この係止溝形成板部６と前部壁面５との間に、前記端子金具１０の−極側端子部１１と＋極側端子部１２との間の中間部分１３が挿入される中間溝部１６が形成されるとともに、係止溝形成板部７と前部壁面５との間に前記端子金具１０のＵ字状の＋極側端子部に一体に連なるように延設された直線状部１４が挿入される＋極側溝部１７が形成されている。
【０００５】
また、前記係止溝形成板部６と係止溝形成板部７との間には、前記＋極側端子部を電池収納部４Ｂ側に露出させるための窓１８が形成されている。
【０００６】
このような電池収納部用端子金具の取付構造においては、端子金具１０を電池収納部２に取付固定するにあたっては、端子金具１０を基端面側を前部壁面５に沿わせるようにして上から電池収納部２内に押し込む。これにより、前記中間溝部１６の上端部に前記端子金具１０の中間部分１３が挿入されて挟持されるとともに、前記＋極側溝部１７に前記端子金具１０の直線状部１４が挿入されて挟持され、かつ、−極側端子部１１の下端輪状部が前部壁面５に突設されたリブ状ストッパ３１を乗り越えてそれに係止され、図示のように、端子金具１０が電池収納部２に取付固定される。
【０００７】
【発明が解決しようとする課題】
しかしながら、上記した如くの従来の電池収納部用端子金具の取付構造においては、−極側端子部１１側はリブ状ストッパ３１により係止されているが、＋極側端子部１２側は係止されていないので、電池交換等のため、電池Ｂ，Ｂを収納部２から抜き出すとき、＋極側端子部１２が浮き上がるように上方に外れてしまう等の問題があった。
【０００８】
そこで、＋極側端子部１２側を浮き上がらせないようにすべく、＋極側端子部１２の底辺部を係止するリブ状ストッパー３２（図４の仮想線）を突設することが考えられているが、このように−極側端子部１１側と＋極側端子部１２側の両方にそれぞれリブ状ストッパー３１，３２を突設する場合には、  １ケース製作用金型の構造が複雑なものとなり、コスト的に高くつく、  ２ケース１と端子金具１０との寸法上のバラツキ等により端子金具１０にガタツキが発生しやすい、
３端子金具１０の挿入取付が面倒となる、といった不都合が生じる。
【０００９】
本発明は、上述した如くの問題を解消するためになされたもので、その目的とするところは、金型構造の複雑化や端子金具のガタツキ等を招来することなく、電池抜き出し時等においても端子金具が電池収納部から外れにくくできるとともに、その取り付けを容易に行うことができるようにされた電池収納部用端子金具の取付構造を提供することにある。
【００１０】
【課題を解決するための手段】
上述の目的を達成すべく、本発明に係る電池収納部用端子金具の取付構造は、基本的には、円錐コイルばね状の−極側端子部とこれに一体に連なるＵ字状の＋極側端子部を有する弾性線材からなる電池収納部用端子金具が用いられる。
【００１１】
そして、前記端子金具側には、前記Ｕ字状の＋極側端子部に一体に連なるように概略レ字状のフック部が延設され、前記電池収納部側には、前記−極側端子部と＋極側端子部との間の部分が挿入される中間溝部が設けられるとともに、前記フック部が挿入されかつ該フック部の先端が係止されるストッパーとなる切欠部付き＋極側溝部が設けられてなる。
【００１２】
このような構成とされた本発明に係る電池収納部用端子金具の取付構造においては、端子金具の＋極側端子部にフック部が延設され、かつ、端子金具の＋極側端子部側を係止すべく、リブ状ストッパーではなく、前記フック部の先端が係止されるストッパーとなる切欠部付き＋極側溝部が設けられる。
【００１３】
つまり、プラス極側溝部の一部を除去してフック部の先端を係止するストッパーとして利用するようにしたので、金型構造の複雑化や端子金具のガタツキ等を招来することなく、電池抜き出し時等においても端子金具が電池収納部から外れにくくできるとともに、その取り付けを容易に行うことができる。
【００１４】
【発明の実施の形態】
以下、本発明の実施の形態を図面を参照しつつ説明する。
【００１５】
図１及び図２は本発明に係る電池収納部用端子金具の取付構造の一実施形態を示している。図示実施形態においては、従来のものと同様に、リモコンのケース１に設けられた電池収納部２は、２本の電池Ｂ，Ｂを＋極と−極とを逆にして横並びに収納すべく、仕切り壁３を隔てて左右に第１の電池装着部４Ａと第２の電池装着部４Ｂとが設けられている。
【００１６】
そして、この電池収納部２の前部壁面５に、図３に示される如くの、円錐コイルばね状の−極側端子部１１とこれに一体に連なるＵ字状の＋極側端子部１２を有する断面円形の弾性線材からなる電池収納部用の＋極−極共通の端子金具１０が対接固定されている。
【００１７】
ここでは、前記端子金具１０は、前記Ｕ字状の＋極側端子部に一体に連なるように直線状部１４と概略レ字状のフック部２０が延設されている。
【００１８】
そして、前記前部壁面５から後方側へ前記端子金具１０の厚み（直径）分程度だけ離れて係止溝形成板部６，７が立設されており、この係止溝形成板部６と前部壁面５との間に、前記端子金具１０の−極側端子部１１と＋極側端子部１２との間の中間部分１３が挿入される中間溝部１６が形成されるとともに、係止溝形成板部７と前部壁面５との間に前記端子金具１０のＵ字状の＋極側端子部に一体に連なるように延設された直線状部１４とフック部２０とが挿入され、かつ該フック部２０の先端が係止されるストッパーとなる切欠部２２付き＋極側溝部１７が形成されている。
【００１９】
また、前記係止溝形成板部６と係止溝形成板部７との間には、前記＋極側端子部を電池収納部４Ｂ側に露出させるための窓１８が形成されている。
【００２０】
このような電池収納部用端子金具の取付構造においては、端子金具１０を電池収納部２に取付固定するにあたっては、端子金具１０を基端面側を前部壁面５に沿わせるようにして上から電池収納部２内に押し込む。これにより、前記中間溝部１６の上端部に前記端子金具１０の中間部分１３が挿入されて挟持されるとともに、前記＋極側溝部１７に前記端子金具１０の直線状部１４とフック部２０とが挿入され、かつ、該フック部２０の先端が前記切欠部２２に当たって係止される。より詳細には、前記フック部２０は、前記＋極側溝部１７に押し込まれたとき、その底部２３に当たって若干内側に弾性撓曲せしめられ、その先端が切欠部２２に達すると外側に開くように復元し、これによって、その先端が切欠部２２に当たって係止される。
【００２１】
このときには、同時に、−極側端子部１１の下端輪状部が前部壁面５に突設されたリブ状ストッパー３１を乗り越えてそれに係止され、図示のように、端子金具１０が電池収納部２に取付固定される。
【００２２】
このように、本実施形態においては、端子金具１０の＋極側端子部１２にフック部２０が延設され、かつ、端子金具１０の＋極端子部１２側を係止すべく、リブ状ストッパーではなく、前記フック部２０の先端が係止されるストッパーとなる切欠部２２付き＋極側溝部１７が設けられる。
【００２３】
つまり、プラス極側溝部１７の一部を除去してフック部２０の先端を係止するストッパーとして利用するようにしたので、金型構造の複雑化や端子金具のガタツキ等を招来することなく、電池抜き出し時等においても端子金具が電池収納部から外れにくくできるとともに、その取り付けを容易に行うことができる。
【００２４】
【発明の効果】
以上の説明から理解されるように、本発明に係る電池収納部用端子金具の取付構造は、金型構造の複雑化や端子金具のガタツキ等を招来することなく、電池抜き出し時等においても端子金具が電池収納部から外れにくくできるとともに、その取り付けを容易に行うことができるという優れた効果を奏する。
【図面の簡単な説明】
【図１】本発明に係る電池収納部用端子金具の取付構造の一実施形態を示す斜視図。
【図２】図１の実施形態を示す縦断面図。
【図３】図１及び図２の実施形態に使用された端子金具を示し、（Ａ）は正面図、（Ｂ）は平面図。
【図４】従来の電池収納部用端子金具の取付構造の一例を示し、（Ａ）は正面図、（Ｂ）は平面図。
【符号の説明】
１        ケース
２        電池収納部
５        前部壁面
６，７    係止溝形成板部
１０        端子金具
１１        −極側端子部
１２        ＋極側端子部
１３        中間部分
１４        直線状部
１６        中間溝部
１７        ＋極側溝部
１８        窓
２０        フック部
２２        切欠部
２３        底部
【図１】
0003656360.tif 000002
【図２】
0003656360.tif 000003
【図３】
0003656360.tif 000004
【図４】
0003656360.tif 000005